(57)【特許請求の範囲】
【請求項１】
籾摺部Ａ及び摺落米風選部Ｂを機体の前部に、揺動選別装置１５で構成されている混合米選別部Ｃ、及び玄米揚穀機３を後部に配置すると共に、揺動選別装置１５は機体左右方向を縦方向となして当該縦方向に混合米を流して横方向に斜め上下に揺動しながら選別する構成とし、上記玄米揚穀機３は揺動選別装置１５の上記縦方向の排出揺上げ側の側方である機体後面に装着し、この縦方向の排出揺下げ側下方には混合米を移送する混合米搬送装置を前後方向に配設し、主モータ２９から適宜伝動手段を介してこの混合米搬送装置を駆動すべく構成すると共に、この混合米搬送装置への伝動経路を分岐して玄米揚穀機に動力伝達すべく構成してなる籾摺選別機において、揺動選別板１６の下方でかつ機体の左右横方向に沿わせて配置され該揺動選別板１６を揺動すべく駆動される揺動軸４５を経由し、この揺動選別板１６の選別穀粒排出側下方に設ける中継プーリ５０を経て、上記揺動軸４５と玄米揚穀機３との間に設けられ該揺動軸４５と平行な伝動軸５１を駆動すべくなし、この伝動軸５１に設ける笠歯車と伝動プーリを介して混合米搬送装置および玄米揚穀機３を駆動する構成とした籾摺選別機。
【発明の詳細な説明】
【０００１】
【産業上の利用分野】
この発明は、揺動選別装置で選別された玄米を機外に取り出す玄米揚穀機を有する籾摺選別機に関する。
【０００２】
【従来の技術】
籾摺部，摺落米風選部及び混合米揚穀機を機体の前部に、混合米を選別する揺動選別装置を機体後部に夫れ夫れ配置し、機体の後部に玄米揚穀機を配置した籾摺選別機がある。このような籾摺選別機において、揺動選別装置の揺動選別板の穀粒選別方向である揺動方向を機体の前後方向に沿わせた状態とし、揺動選別板の供給側及び排出側を結ぶ穀粒の流動方向を機体の前後方向に対して直交する左右方向に沿わせ、揺動選別板で選別された混合米を前方の摺落米風選部へ搬送する混合米搬送装置を揺動選別板の排出側下方に設け、揺動選別装置で選別された玄米揚穀機を機体後部に配置したものがある。
【０００３】
【発明が解決しようとする課題】
籾摺選別機においては、籾摺部、揺動選別装置、玄米揚穀機等の装置各部があるが、籾摺選別装置全体ができるだけコンパクトになるようそれぞれ合理的に配置することが望ましい。また、それらの駆動構成についても簡素化が望ましい。
【０００４】
本発明においては、主モータや玄米揚穀機の配設位置を工夫すると共に、主モータからの伝動構成を工夫することにより、籾摺選別機全体をコンパクトにすることを目的とする。
【０００５】
【課題を解決するための手段】
この発明は、このような技術的課題を解決するために、次の技術的手段を講じた。
即ち、籾摺部Ａ及び摺落米風選部Ｂを機体の前部に、揺動選別装置１５で構成されている混合米選別部Ｃ、及び玄米揚穀機３を後部に配置すると共に、揺動選別装置１５は機体左右方向を縦方向となして当該縦方向に混合米を流して横方向に斜め上下に揺動しながら選別する構成とし、上記玄米揚穀機３は揺動選別装置１５の上記縦方向の排出揺上げ側の側方である機体後面に装着し、この縦方向の排出揺下げ側下方には混合米を移送する混合米搬送装置を前後方向に配設し、主モータ２９から適宜伝動手段を介してこの混合米搬送装置を駆動すべく構成すると共に、この混合米搬送装置への伝動経路を分岐して玄米揚穀機に動力伝達すべく構成してなる籾摺選別機の構成とする。
【０００６】
【実施例】
以下、図面に示すこの発明の実施例について説明する。まず、図１及至図４に示す実施例の構成について説明する。この籾摺選別機は、籾摺をする籾摺部Ａ，籾摺部Ａからの摺落米を風選する摺落米風選部Ｂ，摺落米風選部Ｂでの風選後の混合米を籾・玄米に分離選別する揺動選別装置型の混合米選別部Ｃ，穀粒を揚穀搬送する揚穀搬送部Ｄにより構成されていて、籾摺部Ａを機体の前上部に、また、摺落米風選部Ｂを機体の前下部に配置すると共に、摺落米風選部Ｂの吸引排塵機１を籾摺部Ａの前方に配置し、籾摺部Ａ及び摺落米風選部Ｂの一横側部に揚穀搬送部Ｄの混合米揚穀機２を配置し、機体の後部には混合米選別部Ｃを配置し、混合米選別部Ｃの後方には、揚穀搬送部Ｄの玄米揚穀機３を配置する構成である。
【０００７】
籾摺部Ａは、籾ホッパ４，籾摺ロール５，５，拡散板の内装されている籾摺室６等で構成されている。次に、摺落米風選部Ｂについて説明すると、摺落米風選箱体７の後部には、上方の籾摺室６から摺落米が流下して、摺落米が摺落米風選路８の選別始端側に供給され、終端側ほど高位の斜設された摺落米風選路８で摺落米は風選される構成である。この摺落米風選路８の始端側下方には、選別された摺落米を受ける摺落米受樋９が設けられおり、また、終端側下方には、粃米を受ける粃米受樋１０が設けられている。摺落米風選路８を始端側から終端側へ流れた選別風は、吸引排塵機１，排塵筒１１を経て機外へ排出される構成である。粃米受樋１０に落下選別された粃米は、粃揚穀機１２で籾ホッパ４に揚穀還元され、また、摺落米受樋９に落下選別された摺落米は、摺落米ラセン１３で横一側方に搬送されて混合米揚穀機２の下部に流入し、混合米揚穀機２で揚穀されて混合米ホッパ１４に供給される。なお、この混合米ホッパ１４は、バネ（図示省略）により上下動自在に支持されていて、この混合米ホッパ１４と籾摺部Ａの籾供給調節弁（図示省略）とは、ロッドやアーム等の連動部材（図示省略）を介して連動連結されていて、混合米ホッパ１４内の混合米が増減し混合米ホッパ１４が上下動すると、籾供給調節弁（図示省略）が関連的に減増調節される構成である。
【０００８】
次に、揺動選別装置１５で構成されている混合米選別部Ｃについて説明する。多段の揺動選別板１６，１６，…は、穀粒の流下排出方向である縦方向（図１の紙面に直交する方向）及び縦方向に直交する選別方向である横方向の２面とも傾斜した構成として、横方向を機体の前後方向（図１の左右方向）に沿わせた状態で、機体の後部に配置されていて、揺動アーム１７ａ，１７ａで横方向の斜上下に往復動される構成である。混合米ホッパ１４の混合米は、分配樋１７，分配ケース１８を経て、揺動選別板１６，１６，…の縦方向の高い供給側で、且つ、横方向の低い揺下側に構成されている供給口から、揺動選別板１６，１６，…に供給される構成である。揺動選別板１６，１６，…の縦方向排出側には、玄米仕切板１９及び籾仕切板２０が設けられていて、揺動選別板１６，１６，…の横方向揺上側の玄米分布流域，横方向中間部の混合米分布流域及び横方向揺下側の籾分布流域に分布する穀粒が、夫れ夫れ玄米仕切板１９及び籾仕切板２０で玄米，混合米及び籾に仕切られる構成である。このように仕切られた玄米は、玄米受樋２１に流下し、玄米流路２２を経て後方の揚穀搬送部Ｄの玄米揚穀機３の下部に流入し、玄米揚穀機３で揚穀されて、機体後部から機外に取り出される。
また、玄米仕切板１９と籾仕切板２０とで仕切られた混合米は、混合米受樋２３，混合米流路２４を経て小米選別搬送装置６１に流入する構成である。即ちこの小米選別搬送装置６１は混合米搬送装置としての機能と小米選別の機能とを備える構成である。なお、小米選別搬送装置６１に流入すると小米が選別除去されながら摺落米受樋９へ搬送され、摺落米受樋９の摺落米移送ラセン１３を経て、揚穀搬送部Ｄの混合米揚穀機２の下部に流入して揚穀され、混合米ホッパ１４，分配樋１７，分配ケース１８を経て、揺動選別板１６，１６，…に供給されて再選別されるものである。また、籾仕切板２０で仕切られた籾は、籾受樋２５から籾流路２６を経て籾揚穀機２７に流入し、籾揚穀機２７で揚穀されて籾摺部Ａに還元され、再度の籾摺がされる構成である。なお、摺落米ラセン１３の軸に籾揚穀機２７のスロ−ワ翼の軸部を一体的に取り付けている。
【０００９】
次に、図２及至図６に基づき籾摺選別機の伝動装置について説明する。摺落米風選部Ｂ前下部には主モータ２９を配置し、主モータ２９の原動プ−リ３０、プ−リ３１，籾摺ロール５，５に一体的に設けられている籾摺プ−リ３２，３３，テンションプ−リ３４，粃米ラセン３５の軸部に取り付けられている大径のプ−リ３６に、伝動ベルト３７が巻き掛けられている。また、粃米ラセン３５の軸部に取り付けられている小径プ−リ３８と混合米揚穀機２の下部プ−リと一体的な大径のプ−リ３９とに伝動ベルト４０を巻き掛けかけ、また、混合米揚穀機２の下部プ−リと一体的な小径のプ−リ４１と摺落米ラセン軸４２のプ−リ４３とに、第３伝動ベルト４４を巻き掛けている。
【００１０】
４５は、揺動選別板１６を揺動する揺動軸で、この揺動軸４５は、揺動選別板１６の下方で、且つ、機体の左右横方向に沿わせて配置し、揺動軸４５における揺動選別板１６の供給側下方である一側方に揺動プ−リ４６を取り付け、この揺動プ−リ４６とプ−リ３４に一体なプ−リ４７とに、伝動ベルト４８を巻き掛け、揺動軸４５の偏心部と揺動ア−ム１７ａ，１７ａとを、クランクロッド４９で連結して、揺動選別板１６を揺動する構成としている。また、揺動軸４５の左右横方向の他側方である揺動選別板１６の排出側下方に中継プ−リ５０を取り付け、揺動軸４５と玄米揚穀機３の間には、左右横方向に沿わせて小米伝動軸５１を架設すると共に、この小米伝動軸５１の中間部に小米伝動プ−リ５２を取り付け、玄米揚穀機３における下部プ−リ５３の軸部には玄米プ−リ５４を取り付け、中継プ−リ５０の下方には、テンション軸５５に取り付けられているテンションプ−リ５６を配置している。そして、これらの中継プ−リ５０，小米伝動プ−リ５２及びテンションプ−リ５６に、小米伝動ベルト５７を巻き掛け、また、小米伝動軸５１の一端に取り付けられているプ−リ５８と玄米プ−リ５４に伝動ベルト５９を巻き掛けて、小米伝動プ−リ５２を時計方向に回転すると共に、玄米揚穀機３のバケット付ベルト６０が時計方向に回転し玄米が揚穀される。また、小米選別搬送装置６１は、小米ラセン軸６２，小米ラセン軸６２に取り付けられているラセン翼６３及びラセン翼６３の外周部に設けられている小米選別網受樋６４で構成されていて、揺動選別装置１５で選別された混合米を受け入れて、小米を選別しながら摺落米風選部Ｂの摺落米受樋９に混合米を搬送するものである。小米伝動軸５１の他端部に設けられている傘歯車６５と、小米ラセン軸６２の後端部の傘歯車６６とを噛み合わせて、小米伝動軸５１を経由して小米選別搬送装置６１が駆動される構成である。
【００１１】
次に、図７に基づき、スロ−ワ型の玄米揚穀機３の伝動関係について説明する。揺動軸４５の左右横方向の他側部である揺動選別板１６の排出側下方に取り付けられている中継プ−リ４９，小米伝動軸５１，小米伝動プ−リ５２、テンション軸５５びテンションプ−リ５６は図６及び図７の実施例と同様に構成されている。スロ−ワ型玄米揚穀機３におけるスロ−ワ軸６７には、玄米プ−リ６８を取り付けて、これら中継プ−リ４９，小米伝動プ−リ５２，玄米プ−リ６８に１本の伝動ベルト６９を巻き掛けて、小米伝動プ−リ５２を時計方向に回転すると共に、スロ−ワ型の玄米揚穀機３を反時計方向に回転する構成としている。
【００１２】
次に、図８及び図９の実施例について説明する。７０は、玄米揚穀機３へ動力を伝達する中継伝動装置で、伝動ケ−ス７１，小米選別搬送装置６１のラセン軸６２の後端部に取り付けられている歯車７２，前後方向に沿っている動力取出軸７３，動力取出軸７３に取り付けられていて歯車７２と噛み合っている歯車７４，動力取出軸７３の後端部に取り付けられているカップリング７５により構成されている。スロ−ワ型の玄米揚穀機３，バケット揚穀型の玄米揚穀機３及びラセン揚穀型の玄米揚穀機３の下端部に夫れ夫れ設けられている動力取入軸７６には、カップリング７７が設けられていて、これらの玄米揚穀機３，３，３を機台７８の後部に取り付けて、動力取出軸７３側のカップリング７５と玄米揚穀機３側のカップリング７７とが結合され、動力伝動状態となり、種々のタイプの玄米揚穀機の選択容易化及び伝動の容易化を図っている。なお、小米選別搬送装置６１のラセン軸６２をモータで駆動する構成としてもよい。
【００１３】
【００１４】
次に、図１乃至図４に示す実施例の作用について説明する。籾摺選別機で籾摺選別作業をする場合には、機体の回転各部を駆動し、籾ホッパ４に籾を供給し、籾摺部Ａの籾供給調節弁（図示省略）を開けると、籾が籾摺ロール５，５に供給され、互いに反対方向に回転している籾摺ロール５，５で籾摺され、拡散板で拡散された摺落米は下方の摺落米風選路８に供給されて、選別風により選別され、軽い籾殻は摺落米風選路８の終端側に流れて、吸引排塵機１及び排塵筒１１を経て機外に排出され、また、比較的軽い粃米は粃受樋１０に落下選別され、また、重い籾・玄米の混合米は摺落米受樋９に流下選別される。ついで、摺落米受樋９に選別された摺落米は、摺落米ラセン１３で横一側方に搬送されて、混合米揚穀機２の下部に流入して揚穀され、混合米ホッパ１４に供給され、次いで、分配樋１７及び分配ケース１８を経由して、揺動選別板１６，１６，…に供給される。
【００１５】
このようにして、揺動選別板１６，１６，…に供給された混合米は、揺動アーム１７ａ，１７ａの横方向斜上下の往復揺動により、粒形の大小，比重の大小あるいは摩擦抵抗の差異等により選別されて、横方向の揺上側である玄米分布流域に偏流分布した玄米は、玄米仕切板１９で仕切られて取り出されて、玄米受樋２１，玄米流樋２２を経て玄米揚穀機３の下部に流入し、玄米揚穀機３で揚穀されて機外に取り出さる。また、揺動選別板１６，１６，…の横方向中間部である混合米分布流域に偏流分布した混合米は、玄米仕切板１９と籾仕切板２０とで仕切られて取り出され、混合米は混合米受樋２３，混合米流路２４を経て、小米選別搬送装置６１に流入し、ラセン翼６３で搬送される間に小米が除去され、小米選別網受樋６４の終端側から混合米揚穀機２の下部に流入して揚穀され、混合米ホッパ１４，分配樋１７，分配ケース１８を経て、揺動選別板１６，１６，…に供給されて再選別される。また、揺動選別板１６，１６，…の横方向揺下側の籾分布流域に偏流分布した籾は、籾仕切板２０で仕切られて取り出され、籾受樋２５，籾流路２６，籾揚穀機２７を経て籾摺部Ａに揚穀還元されて、再度籾摺される。
【００１６】
次に、伝動関係の作用について説明する。主モータ２９の原動プ−リ３０から伝動ベルト３７を介して、籾摺プ−リ３２，３３が駆動されて、籾摺ロール５，５が回転すると共に、伝動ベルト３７を介してプ−リ３６が回転されて、粃米ラセン３５が回転し、次いで、プ−リ３６，プ−リ３８，伝動ベルト４０，プ−リ３９により、混合米揚穀機２が回転駆動され、次いで、プ−リ３９，プ−リ４１，伝動ベルト４４，プ−リ４３を介して、籾揚穀機２７及び摺落米ラセン１３が回転駆動され、次いで、テンションプ−リ３４，プ−リ４７，伝動ベルト４８，揺動プ−リ４６を介して揺動軸４５が回転し、揺動アーム１７ａ，１７ａが揺動して、揺動選別装置１５が駆動され、次いで、揺動軸４５から中継プ−リ４９，小米伝動ベルト５７，小米伝動プ−リ５２，小米伝動軸５１，プ−リ５８，伝動ベルト５９、玄米プ−リ５４を経て、玄米揚穀機３に動力が伝達され、また、小米伝動プ−リ５２，傘歯車６５，傘歯車６６を経て小米ラセン軸６２に動力が伝達されて、小米選別搬送装置６１が駆動される。
【００１７】
【発明の効果】
この発明は、上述のように構成されているので、主モータ２９の動力を玄米揚穀機３に伝達するにあたっては、揺動選別板１６の縦方向の排出揺下げ側下方に前後方向に配設する混合米搬送装置への伝動経路を分岐するものであるが、揺動選別板１６の下方でかつ機体の左右横方向に沿わせて配置され該揺動選別板１６を揺動すべく駆動される揺動軸４５を経由し、この揺動選別板１６の選別穀粒排出側下方に設ける中継プーリ５０を経て、上記揺動軸４５と玄米揚穀機３との間に設けられ該揺動軸４５と平行な伝動軸５１を駆動すべくなし、この伝動軸５１に設ける笠歯車と伝動プーリを介して混合米搬送装置および玄米揚穀機３を駆動する構成としたから、該排出揺下げ側下方の空間を有効利用することができ、玄米揚穀機専用の連動機構を少なくし得て簡素化でき、かつ籾摺選別機全体をコンパクトに構成することができる。
【図面の簡単な説明】
【図１】切断側面図
【図２】切断正面図
【図３】平面図
【図４】切断側面図
【図５】切断側面図
【図６】切断平面図
【図７】切断側面図
【図８】切断平面図
【図９】切断側面図
【符号の説明】
Ａ  籾摺部
Ｂ  摺落米風選部
Ｃ  混合米選別部
Ｄ  揚穀搬送部
１  吸引排塵機
２  混合米揚穀機
３  玄米揚穀機
４  籾ホッパ
５  籾摺ロール
６  籾摺室
７  摺落米風選箱体
８  摺落米風選路
９  摺落米受樋
１０  粃受樋
１１  排塵筒
１２  粃揚穀機
１３  摺落米ラセン
１４  混合米ホッパ
１５  揺動選別装置
１６  揺動選別板
１７  分配樋
１７ａ  揺動アーム
１８  分配ケース
１９  玄米仕切板
２０  籾仕切板
２１  玄米受樋
２２  玄米流路
２３  混合米受樋
２４  混合米流路
２５  籾受樋
２６  籾流路
２７  籾揚穀機
２８  籾還元流路
２９  主モータ
３０  原動プ−リ
３１  プ−リ
３２  籾摺プ−リ
３３  籾摺プ−リ
３４  テンションプ−リ
３５  粃ラセン
３６  プ−リ
３７  伝動ベルト
３８  プ−リ
３９  プ−リ
４０  伝動ベルト
４１  混合米小プ−リ
４２  摺落米ラセン軸
４３  プ−リ
４４  伝動プ−リ
４５  揺動軸
４６  揺動プ−リ
４７  プ−リ
４８  伝動ベルト
４９  クランクロッド
５０  中継プーリ
５１  小米伝動軸
５２  小米伝動プーリ
５３  下部プーリ
５４  玄米プーリ
５５  テンション軸
５６  テンションプーリ
５７  小米伝動ベルト
５８  プーリ
５９  伝動ベルト
６０  バケット付ベルト
６１  小米選別搬送装置
６２  ラセン軸
６３  ラセン翼
６４  小米選別網受樋
６５  傘歯車
６６  傘歯車
６７  スローワ軸
６８  玄米プーリ
６９  伝動ベルト
７０  中継伝動装置
７１  伝動ケース
７２  歯車
７３  動力取出軸
７４  歯車
７５  カップリング
７６  動力取入軸
７７  カップリング
７８  機台
【図１】
0003649250.tif 000002
【図２】
0003649250.tif 000003
【図３】
0003649250.tif 000004
【図４】
0003649250.tif 000005
【図５】
0003649250.tif 000006
【図６】
0003649250.tif 000007
【図７】
0003649250.tif 000008
【図８】
0003649250.tif 000009
【図９】
0003649250.tif 000010